(57)【要約】【課題】基板間の導通部の面積を小さくし、狭額縁化を図ることのできる電気光学装置を提供する。【解決手段】本発明の電気光学装置は、第１基板１０及び第２基板２０を備えた電気光学パネル２と、該電気光学パネル２と電気的に接続された配線基板３とを備えている。配線基板３は、第１基板１０側の面に第１端子３１を備え、第２基板２０側の面に第２端子３２を備えており、第１端子３１を第１基板１０の外部端子１９と接続し、第２端子３２を第２基板２０の対向電極２１と接続することにより、電気光学パネル２との電気的接続を行っている。【選択図】図１
2008216863.tif 000002
【特許請求の範囲】
【請求項１】
互いに対向する第１基板及び第２基板と、
前記第１基板と前記第２基板との間に挟持された電気光学物質と、
前記第１基板の前記電気光学物質側の面に設けられた第１導電部と、
前記第２基板の前記電気光学物質側の面に設けられた第２導電部と、
前記第１導電部と前記第２導電部との間に挟持された配線基板と、
前記配線基板の前記第１導電部側の面に設けられた第１端子と、
前記配線基板の前記第２導電部側の面に設けられた第２端子と、
前記第１端子と前記第１導電部とを電気的に接続する第１導通材と、
前記第２端子と前記第２導電部とを電気的に接続する第２導通材とを備えたことを特徴とする電気光学装置。
【請求項２】
前記配線基板は、前記第１端子と電気的に接続された第１配線と、前記第２基板と電気的に接続された第２配線と、前記配線基板を貫通する貫通孔とを備え、
前記第１配線及び前記第２配線は、前記配線基板の前記第１基板側の面に設けられ、
前記第２配線は、前記貫通孔を介して前記第２端子と電気的に接続されていることを特徴とする請求項１に記載の電気光学装置。
【請求項３】
前記第１端子は所定の配列軸に沿って複数設けられ、
前記第２端子は、前記複数の第１端子からなる端子部の前記配列軸方向両側に１つずつ設けられていることを特徴とする請求項２に記載の電気光学装置。
【請求項４】
前記第１端子は所定の配列軸に沿って複数設けられ、
前記第２端子は、前記複数の第１端子を跨るように前記配列軸に沿ってストライプ状に設けられていることを特徴とする請求項２に記載の電気光学装置。
【請求項５】
前記第１導通材は異方性導電部材であり、
前記第２導通材は導電ペーストであることを特徴とする請求項３又は４に記載の電気光学装置。
【請求項６】
前記第１基板と前記第２基板との間及び前記第１基板と前記第２基板の周囲に封止材が充填されていることを特徴とする請求項１〜５のいずれかの項に記載の電気光学装置。
【請求項７】
前記電気光学物質は、分散媒中に電気泳動粒子が分散された電気泳動分散液であることを特徴とする請求項１〜６のいずれかの項に記載の電気光学装置。
【請求項８】
第１基板と第２基板との間に電気光学物質を挟持してなる電気光学パネルと、前記電気光学パネルと電気的に接続された配線基板とを備えた電気光学装置の製造方法であって、
前記配線基板として、一方の面に第１端子を備え、他方の面に第２端子を備えた配線基板を用い、
前記配線基板の前記第１端子と前記第１基板の第１導電部とを第１導電材を用いて電気的に接続する工程と、
前記第１基板上に前記第２基板を重ね合わせ、前記配線基板上の前記第２端子と前記第２基板上の第２導電部とを第２導電材を用いて電気的に接続する工程とを備えたことを特徴とする電気光学装置の製造方法。
【請求項９】
請求項１〜７のいずれかの項に記載の電気光学装置を備えたことを特徴とする電子機器。
【発明の詳細な説明】
【技術分野】
【０００１】
本発明は、電気光学装置、電気光学装置の製造方法並びに電子機器に関し、特に、電気光学パネルと配線基板との接続構造に関するものである。
【背景技術】
【０００２】
近年、携帯電話機や腕時計等の携帯用電子機器の表示手段として、電気光学装置からなる表示パネルが広く用いられている。電気光学装置は、一対の基板間に電気光学物質を挟持した構成を有し、前記一対の基板間に電圧を印加することにより画像表示を行うものである。電圧の印加は、第１基板（素子基板）上に設けられた信号配線を用いて行われる。第２基板（対向基板）への電圧の供給は、第１基板と第２基板との間に設けられた導通材を介して行われる（例えば、特許文献１参照）。
【０００３】
図１０は、腕時計の文字盤として用いられる電気光学装置の概略平面図である。同電気光学装置は、互いに対向する第１基板１０及び第２基板２０と、該第１基板１０と第２基板２０との間に挟持された電気光学物質（図示略）とを備えている。電気光学物質としては、液晶や電気泳動分散液等が用いられるが、本従来例の場合、電気光学物質として電気泳動分散液が用いられている。
【０００４】
第１基板１０は、正八角形状の本体部１０Ａと、矩形状の張り出し部１０Ｃとを備えている。張り出し部１０Ｃは、本体部１０Ａの１つの辺端部から張り出している。本体部１０Ａの中央部には表示領域Ａｄが設けられており、張り出し部１０Ｃには配線基板３０と接続される複数の端子１９，６３が設けられている。本体部１０Ａの他の辺端部には、第２基板２０と接続される端子６０が設けられている。端子６０は、本体部１０Ａの外周に沿って配置された配線６２を介して端子６３と接続されている。
【０００５】
第２基板２０は、正八角形状の本体部２０Ａと、矩形状の張り出し部２０Ｃ及び２０Ｄとを備えている。張り出し部２０Ｄは、端子６０に対応して設けられている。端子６０と張り出し部２０Ｄとの間には導通材６１が設けられており、該導通材６１を介して端子６０と張り出し部２０Ｄに形成された電極とが電気的に接続されている。
【特許文献１】特開２００５−１１４８２２号公報
【発明の開示】
【発明が解決しようとする課題】
【０００６】
上述の電気光学装置では、表示領域の外側に導通材６１が設けられるため、第２基板２０の本体部２０Ａは、第１基板１０の本体部１０Ａよりも一回り小さい大きさとなっている。そのため、第１基板１０の外周部には、導通材６１の幅に対応した額縁領域が形成されており、その分表示面積が小さくなっている。端子６０（導通材６１）と端子１９，６３とを同じ辺端部に配置すればこのような問題は解消されるが、小型化、高精細化が要求される携帯用電子機器においては、当該辺端部に占める端子１９，６３の専有面積は大きくなるため、端子１９，６３と端子６０とを同じ辺端部に配置することは困難である。
【０００７】
また、第１基板１０と第２基板２０との接続は確実に行わなければならないため、導通材６１の厚みは基板１０，２０間のギャップよりも大きめに設定されるが、銅箔のように硬い部材を導通材６１として用いると、ギャップが導通材６１の配置された部分だけ大きくなり、導通材６１の近傍にギャップの不均一な領域が発生する場合がある。例えば、図１１において、基板１０，２０間のギャップは５０μｍ程度に設計されるが、このギャップは電気泳動層５０と接着剤層５５の潰れ具合によって±５μｍの範囲で変動するため、導通材６１の厚みを５５μｍに設計すると、導通材６１の近傍でギャップが最大で１０μｍ程度変動することになる。このようなギャップの変動は、電極１３と電極２１との間の電界を変動させ、表示不良の原因となる。
【０００８】
本発明はこのような事情に鑑みてなされたものであって、基板間の導通部の面積を小さくし、狭額縁化を図ることのできる電気光学装置を提供することを第１の目的とする。また、基板間の接続部におけるギャップの変動を防止し、表示品質の高い電気光学装置を提供することを第２の目的とする。また、このような電気光学装置を備えることにより、小型で表示品質に優れた電子機器を提供することを目的とする。
【課題を解決するための手段】
【０００９】
上記の課題を解決するため、本発明の電気光学装置は、互いに対向する第１基板及び第２基板と、前記第１基板と前記第２基板との間に挟持された電気光学物質と、前記第１基板の前記電気光学物質側の面に設けられた第１導電部と、前記第２基板の前記電気光学物質側の面に設けられた第２導電部と、前記第１導電部と前記第２導電部との間に挟持された配線基板と、前記配線基板の前記第１導電部側の面に設けられた第１端子と、前記配線基板の前記第２導電部側の面に設けられた第２端子と、前記第１端子と前記第１導電部とを電気的に接続する第１導通材と、前記第２端子と前記第２導電部とを電気的に接続する第２導通材とを備えたことを特徴とする。この構成によれば、第１基板と配線基板及び第２基板と配線基板とが、配線基板の両面に設けた第１端子及び第２端子を用いて直接接続されるため、第１基板と第２基板とを電気的に接続するための接続領域が不要になり、小型で表示領域の広い電気光学装置が提供できる。
【００１０】
ここで、「導通材」とは、接着性があり且つ導電性のある材料をいい、フィルム状の導電部材やペースト状の導電部材等が含まれる。また、「導電部」とは、画素を駆動するための配線、電極又は端子をいい、表示パネルの場合は、画素に接続された外部端子、画素の一方の電極（画素電極や対向電極）等が挙げられる。また、「電気光学物質」とは、電界により物質の屈折率が変化して光の透過率を変化させる電気光学効果を有するものの他、電気エネルギーを光学エネルギーに変換するもの等も含んで総称するものとする。すなわち、本発明の電気光学装置としては、電気光学物質として液晶を用いる液晶装置、電気泳動溶液を用いる電気泳動装置、ＥＬ材料を用いるＥＬ装置、プラズマガスを用いるプラズマディスプレイ、蛍光材料等を用いるフィールドエミッションディスプレイ装置（電界放出表示装置：Field Emission Display：ＦＥＤ）等が広く含まれるものとする。
【００１１】
本発明においては、前記配線基板は、前記第１端子と電気的に接続された第１配線と、前記第２基板と電気的に接続された第２配線と、前記配線基板を貫通する貫通孔とを備え、前記第１配線及び前記第２配線は、前記配線基板の前記第１基板側の面に設けられ、前記第２配線は、前記貫通孔を介して前記第２端子と電気的に接続されていることが望ましい。この構成によれば、配線基板の一方の面に設けた第１配線及び第２配線を用いて、第１基板の第１導電部及び第２基板の第２導電部に電圧を供給することができる。
【００１２】
本発明においては、前記第１端子は所定の配列軸に沿って複数設けられ、前記第２端子は、前記複数の第１端子からなる端子部の前記配列軸方向両側に１つずつ設けられていることが望ましい。この構成によれば、第２端子が端子部を挟んで左右両側に配置されているため、端子部を中心として第２導電部に対して左右両側から均一に電圧を供給することができる。
【００１３】
本発明においては、前記第１端子は所定の配列軸に沿って複数設けられ、前記第２端子は、前記複数の第１端子を跨るように前記配列軸に沿ってストライプ状に設けられていることが望ましい。この構成によれば、第２端子が端子部を跨って広い面積で形成されているため、第２導電部へ電圧を供給する際の抵抗を小さくすることができる。このため、電圧降下による表示不良を防止することができ、表示品質に優れた電気光学装置が提供できる。
【００１４】
本発明においては、前記第１導通材は異方性導電部材であり、前記第２導通材は導電ペーストであることが望ましい。この構成によれば、第２導電部と第２端子との接続を流動性の高い導電ペーストで行うことにより、第２導電部と第２端子との間隔（すなわち第１基板と第２基板との間のギャップ）が変動した場合の変動分を導電ペーストの濡れ広がりによって吸収することができる。このため、第１基板と第２基板との間のギャップが端子部を含めて均一になり、端子部近傍まで含めた表示領域全体で表示品質の高い画像表示を実現できる。このような効果は、ギャップの大きな電気光学装置において特に顕著である。例えば、電気泳動装置のようにギャップが大きく、しかも液晶装置のようなスペーサ（ギャップ材）が存在しない電気光学装置では、第１基板と第２基板とを重ね合わせたときのギャップの変動が大きくなるため、導電ペーストのような柔軟な導通材が必要となる。
【００１５】
本発明においては、前記第１基板と前記第２基板との間及び前記第１基板と前記第２基板の周囲に封止材が充填されていることが望ましい。この構成によれば、配線基板の周囲に封止材が充填されるため、配線基板と第１基板、配線基板と第２基板、及び配線基板と防湿板との接続を強固に行うことができる。このため、配線基板を折り曲げる等しても配線基板が剥がれることがなく、信頼性に優れた電気光学装置が提供できる。
【００１６】
本発明においては、前記電気光学物質は、分散媒中に電気泳動粒子が分散された電気泳動分散液であることが望ましい。この構成によれば、配線基板として、数十μｍ程度の厚みの配線基板を用いることができる。電気泳動溶液を用いた電気光学装置（電気泳動装置）の場合、第１基板と第２基板との間のギャップは５０μｍ程度であるため、配線基板の厚みは、導通材の厚みを考慮すると、２０μｍ〜３０μｍ程度の厚みとなる。このため、配線基板として、通常のポリイミドフィルムをベース基材として用いた配線基板を用いることができ、特別の工夫は必要ない。例えば、液晶装置の場合には、ギャップの大きさが５μｍ程度であるため、導通材の厚みを考慮すると、配線基板の厚みは最大でも１μｍ程度であり、機械的強度の点で取り扱いが難しくなる。一方、電気泳動装置の場合には、このような問題が生じないため、機械的強度が高く、取り扱い性に優れた電気光学装置が提供できる。
【００１７】
本発明の電気光学装置の製造方法は、第１基板と第２基板との間に電気光学物質を挟持してなる電気光学パネルと、前記電気光学パネルと電気的に接続された配線基板とを備えた電気光学装置の製造方法であって、前記配線基板として、一方の面に第１端子を備え、他方の面に第２端子を備えた配線基板を用い、前記配線基板の前記第１端子と前記第１基板の第１導電部とを第１導電材を用いて電気的に接続する工程と、前記第１基板上に前記第２基板を重ね合わせ、前記配線基板上の前記第２端子と前記第２基板上の第２導電部とを第２導電材を用いて電気的に接続する工程とを備えたことを特徴とする。この方法によれば、第１基板と配線基板及び第２基板と配線基板とが、配線基板の両面に設けた第１端子及び第２端子を用いて直接接続されるため、第１基板と第２基板とを電気的に接続するための接続領域が不要になり、小型で表示領域の広い電気光学装置が提供できる。
【００１８】
本発明の電子機器は、前述した本発明の電気光学装置を備えたことを特徴とする。この構成によれば、小型で表示品質に優れた電子機器が提供できる。
【発明を実施するための最良の形態】
【００１９】
以下、図面を参照して本発明の実施の形態について説明する。かかる実施の形態は本発明の一態様を示すものであり、この発明を限定するものではない。下記の実施形態において、各構成部材の諸形状や組み合わせ等は一例であって、本発明の主旨から逸脱しない範囲において設計要求等に基づき種々変更可能である。また、以下の図面においては、各構成をわかりやすくするために、実際の構造と各構造における縮尺や数等が異なっている。
【００２０】
以下の説明においては、ＸＹＺ直交座標系を設定し、該ＸＹＺ直交座標系を参照しつつ各部材の位置関係について説明する。この際、水平面内における所定方向をＸ軸方向、水平面内においてＸ軸方向と直交する方向をＹ軸方向、Ｘ軸方向及びＹ軸方向のそれぞれに直交する方向（すなわち鉛直方向）をＺ軸方向とする。本実施形態の場合、Ｘ軸方向を走査線の延在方向、Ｙ軸方向をデータ線の延在方向、Ｚ軸方向を観察者による電気光学パネルの観察方向としている。
【００２１】
［第１の実施の形態］
図１は、本発明の一実施形態に係る電気光学装置の分解斜視図である。電気光学装置１は、画素スイッチング素子として薄膜トランジスタ（Thin Film Transistor；以下「ＴＦＴ」と略記する）を備えたアクティブマトリクス方式の電気光学装置である。
【００２２】
電気光学装置１は、電気光学パネル２と配線基板３とを備えている。電気光学パネル２は、互いに対向する第１基板１０及び第２基板２０と、第１基板１０と第２基板２０との間に挟持された電気光学層５０と、第１基板１０と第２基板２０とを接着する接着剤層５５と、第２基板２０の外面側（電気光学層５０とは反対側）に設けられた防湿板４０とを備えている。
【００２３】
第１基板１０、第２基板２０、電気光学層５０、接着剤層５５及び防湿板４０には、互いに連通する複数の貫通孔Ｈが設けられている。貫通孔Ｈは、時刻や目盛り（数値）等を表示するためのアナログ指針用の穴である。電気光学装置１は、貫通孔Ｈにアナログ指針を差し込むことによって、時計や種々の計器等の表示部として利用可能なものとなっている。なお、図１では、第１基板１０、第２基板２０、電気光学層５０、接着剤層５５及び防湿板４０に、それぞれ４つずつ貫通孔を設けたが、貫通孔の数はこれに限定されない。
【００２４】
第１基板１０と第２基板２０とが対向する対向領域の中央部には、表示領域Ａｄが設けられている。表示領域Ａｄには、Ｘ軸方向に延びる複数の走査線１１と、Ｙ軸方向に延びる複数のデータ線１２とが平面視格子状に設けられている。走査線１１とデータ線１２との交差部には画素が設けられており、第１基板１０上にはこのような画素がＸ軸方向及びＹ軸方向にマトリクス状に配置されている。そして、これら複数の画素によって全体としての表示領域Ａｄが形成されている。なお、それぞれの画素にはＴＦＴからなる画素スイッチング素子が設けられているが、図１ではそれらの図示は省略している。
【００２５】
第１基板１０は、ガラス、プラスチック、ステンレス等の基材を基体としてなる。第１基板１０は、平面視略正八角形状の本体部１０Ａと、該本体部１０Ａから張り出す平面視略矩形状の張り出し部１０Ｃとを備えている。本体部１０Ａの中央部には走査線１１及びデータ線１２が設けられており、張り出し部１０Ｃには走査線１１及びデータ線１２と電気的に接続された端子部１９Ａが設けられている。端子部１９Ａには複数の外部端子（第１導電部）１９がＸ軸方向に沿って配列されおり、該複数の外部端子１９には、第１導通材３５を介して配線基板３が電気的に接続されている。第１導通材３５としては、異方性導電膜（Anisotropic Conductive Film ; ACF）や異方性導電ペースト（Anisotropic Conductive Paste ; ACP）等の異方性導電部材が用いられる。
【００２６】
第２基板２０は、ガラス、プラスチック等の透光性基材を基体としてなる。第２基板２０は、平面視略八角形状の本体部２０Ａと、該本体部２０Ａから張り出す平面視略矩形状の張り出し部２０Ｃとを備えている。第２基板２０は、第１基板１０と略同じかそれよりも若干小さい大きさ、形状に形成されている。第２基板２０の電気光学層５０側の面には、対向電極（第２導電部）２１が設けられている。対向電極２１は第２基板２０の全面に設けられており、各画素に共通の共通電極となっている。本体部２０Ａ及び張り出し部２０Ｃは、それぞれ第１基板１０の本体部１０Ａ及び張り出し部１０Ｃと対向して設けられており、張り出し部２０Ｃの対向電極２１には、第２導通材３６，３６を介して配線基板３が電気的に接続されている。第２導通材３６としては、導電ペーストが用いられるが、これに限定されない。
【００２７】
電気光学層５０は、液晶や電気泳動分散液等の電気光学物質を備えている。本実施形態の場合、電気光学層５０は、分散媒中に１種又は２種以上の電気泳動粒子を分散させた電気泳動分散液を備えている。電気泳動粒子は、ＴｉＯ２等の無機酸化物又は無機水酸化物からなる直径０．０１μｍ〜１０μｍ程度の微粒子であり、分散媒の水素イオン指数ＰＨによってその表面電荷密度（帯電量）が制御されている。電気泳動粒子は、第１基板１０と第２基板２０との間に発生する電界によって泳動し、一方の基板の表面に付着することにより画像表示を行う。なお、電気泳動分散液はマイクロカプセルの内部に封入された状態で使用されている。
【００２８】
電気光学層５０及び接着剤層５５は、第２基板２０の本体部２０Ａと略同じ大きさ、形状に形成されている。第１基板１０と第２基板２０との間隔（ギャップ）は、５０μｍ程度に設計されている。ギャップの大きさは、第１基板１０と第２基板２０とを接着したときの電気光学層５０及び接着剤層５５の潰れ具合によって変動し、その変動幅は±５μｍ程度である。
【００２９】
防湿板４０は、ガラス等の透光性基材を基体としてなる。防湿板４０は、平面視略八角形状の本体部４０Ａと、該本体部４０Ａから張り出す平面視略矩形状の張り出し部４０Ｃとを備えている。防湿板４０は、第１基板１０と略同じ大きさ、形状に形成されている。本体部４０Ａ及び張り出し部４０Ｃは、それぞれ第１基板１０の本体部１０Ａ及び張り出し部１０Ｃと対向して設けられており、第１基板１０と防湿板４０との間には、図示略の封止材が充填されている。
【００３０】
配線基板３は、ポリイミドフィルム等のベース基材３０と、ベース基材３０の第１基板１０側の面に設けられた第１端子３１と、ベース基材３０の第２基板２０側の面に設けられた第２端子３２，３２と、第１端子３１と電気的に接続された第１配線３３と、第２端子３２と電気的に接続された第２配線３４とを備えている。第１配線３３及び第２配線３４は、ベース基材３０の第１基板１０側の面（第１端子３１が設けられた側の面）に設けられており、第２配線３４は、ベース基材３０を厚み方向に貫通する貫通孔３９を介して第２端子３２と電気的に接続されている。
【００３１】
第１端子３１は、ベース基材３０の辺端に沿って複数設けられている。第１端子３１はＸ軸方向に配列しており、これら複数の第１端子３１によって端子部３１Ａが形成されている。端子部３１Ａと端子部１９Ａとの間にはストライプ状の第１導通材３５が設けられており、該第１導通材３５を介して、それぞれ対応する第１端子３１と外部端子１９とが電気的に接続されている。
【００３２】
第２端子３２は、端子部３１ＡのＸ軸方向両側に１つずつ設けられている。第２端子３２は、第１端子３１よりも大きく形成されている。本実施形態の場合、第２端子３２はＸ軸方向においてベース基材３０の１／３程度の幅を占めており、その平面形状は略正方形状とされている。第２導通材３６は第２端子３２のそれぞれについて１つずつ設けられている。第２端子３２は第２導通材３６を介して第２基板２０の張り出し部２０Ｃに設けられた対向電極２１とが電気的に接続されている。
【００３３】
図２は、電気光学装置１の概略平面図である。電気光学装置１は、表示領域Ａｄと略同じ大きさの第１基板１０、第２基板２０及び防湿板４０を備えている。第１基板１０、第２基板２０及び防湿板４０は、互いに正確に重なり合うように配置されている。第１基板１０と第２基板２０との間及び第１基板１０と第２基板２０の周囲には、封止材４５が充填されている。封止材４５は、配線基板３と防湿板４０との間、配線基板３と第１基板１０及び第２基板２０との間を埋めるように充填されている。封止材４５としては、エポキシ系接着剤等の防湿性に優れた材料が用いられる。
【００３４】
図３は、電気光学装置１の張り出し部近傍の概略断面図である。第１基板１０と第２基板２０との間には、電気光学層５０と接着剤層５５とが配置されている。本実施形態の場合、電気光学層５０は、マイクロカプセル５４中に、分散媒５３と、白と黒の２種類の電気泳動粒子５１，５２とを封入した電気泳動層からなる。電気光学層５０と接着剤層５５との合計の厚みは５０μｍ程度に設計されている。配線基板３の厚みは、電気光学層５０と接着剤層５５との合計の厚み（設計値）よりも小さい大きさに設計されている。例えば本実施形態の場合、ベース基材３０の厚みは２５μｍであり、第１端子３１（配線３３）及び第２端子３２の厚みはそれぞれ１０μｍであり、これらの合計の厚みは４５μｍ（＜５０μｍ）である。したがって、第１基板１０と第２基板２０との間には若干の隙間が形成されており、その隙間に第１導通材３５と第２導通材３６とが配置されている。
【００３５】
ここで、第１基板１０と第２基板２０との間のギャップは、電気泳動層４０と接着剤層５５の潰れ具合によって変動するが、第１導通材３５及び第２導通材３６はフィルム状又はペースト状のものであるため、ギャップの変動に追随して第１導通材３５及び第２導通材３６の厚みも変動することができる。特に、第２導通材３６は、流動性のあるペースト状の材料であるため、その厚みは、フィルム状に加工された第１導通材３５に比べて大きく変動することができる。したがって、電気泳動層５０と接着剤層５５とが大きく潰れた場合には、第２導通材３６が配線基板３の表面に大きく広がることにより、張り出し部のギャップが表示領域Ａｄのギャップと略同じ厚みに制御される。
【００３６】
次に、図４〜図７を用いて電気光学装置１の製造方法を説明する。本実施形態では、まず図４に示すように、第１基板１０の端子部１９Ａに第１導通材３５を介して配線基板３を圧着し、端子部１９Ａの複数の外部端子１９と、端子部３１Ａの複数の第１端子３１とを電気的に接続する。第１導通材３５としては、異方性導電膜（Anisotropic Conductive Film ; ACF）や異方性導電ペースト（Anisotropic Conductive Paste ; ACP）等の異方性導電部材等を用いることができるが、本実施形態では異方性導電膜を用いる。
【００３７】
次に、図５に示すように、配線基板３の第２端子３２，３２上に第２導通材３６として導電ペーストを塗布し、第１基板１０上に第２基板２０を重ね合わせる。そして、第２導通材３６，３６を介して配線基板３の第２端子３２，３２と第２基板２０の張り出し部２０Ａの対向電極２１とを電気的に接続する。このとき、第１基板１０と第２基板２０とのギャップが、電気光学層５０と接着剤層５５との潰れ具合によって変動するが、その変動分は第２導通材３６が配線基板３上に濡れ広がることで吸収される。配線基板３の第２基板２０側の面には第２端子３２しか存在しないため、第２導通材３６が濡れ広がっても第１端子３１等と導通することはない。なお、第２基板２０には電気光学層５０と接着剤層５５とが一体に設けられており、接着剤層５５を介して第１基板１０と第２基板２０とが接着される。
【００３８】
次に、図６に示すように、第２基板２０上に防湿板４０を配置する。そして、図７に示すように、第１基板１０と第２基板２０との間、及び第１基板１０と防湿板４０との間に、ディスペンス法を用いて封止材４５を充填する。封止材４５としては、エポキシ樹脂等の透湿性の低い樹脂が用いられる。封止材４５は、配線基板３の周囲に塗布されると、流動性によって配線基板３と第１基板１０及び第２基板２０との間に浸透し、配線基板３の周囲を覆う。これにより、配線基板３が第１基板１０及び第２基板２０と強固に接続され、その後に配線基板３を折り曲げる等しても、配線基板３と電気光学パネル２とが容易に剥がれることがなくなる。以上により、電気光学装置１が完成する。
【００３９】
以上説明したように、本実施形態の電気光学装置１によれば、第１基板１０と配線基板３及び第２基板２０と配線基板３とが、配線基板３の両面に設けた第１端子３１及び第２端子３２を用いて直接接続されるため、第１基板１０と第２基板２０とを電気的に接続するための接続領域が不要になり、小型で表示領域の広い電気光学装置が提供できる。
【００４０】
また、対向電極２１と第２端子３２との接続を流動性の高い導電ペースト（第１導通材３６）で行っているため、対向電極２１と第２端子３２との間隔（すなわち第１基板１０と第２基板２０との間のギャップ）が変動した場合の変動分を導電ペーストの濡れ広がりによって吸収することができる。このため、第１基板１０と第２基板２０との間のギャップが端子部を含めて均一になり、端子部近傍まで含めた表示領域Ａｄ全体で表示品質の高い画像表示を実現できる。
【００４１】
このような効果は、ギャップの大きな電気光学装置において特に顕著である。例えば、電気泳動装置のようにギャップが大きく、しかも液晶装置のようなスペーサ（ギャップ材）が存在しない電気光学装置では、第１基板１０と第２基板２０とを重ね合わせたときのギャップの変動が大きくなるため、導電ペーストのような柔軟な導通材が必須となる。この場合、導電ペーストが濡れ広がることによって他の配線等との間で電気的短絡を生じることが懸念されるが、配線基板３と第２基板２０との間には第２端子３２と対向電極２１しか存在しないため、導電ペーストが大きく広がっても、他の配線、端子又は電極等との間で電気的短絡を生じることはない。
【００４２】
また、電気光学パネル２の周囲に封止材４５を充填する際に配線基板３の周囲に封止材４５が充填されるため、配線基板３と第１基板１０、配線基板２と第２基板２０、及び配線基板３と防湿板４０との接続が強固なものとなる。このため、配線基板３を折り曲げる等しても配線基板３が剥がれることがなく、信頼性に優れた電気光学装置が提供できる。
【００４３】
また、第２端子３２が端子部３１Ａを挟んで左右両側に配置されているため、端子部３１Ａを中心として対向電極２１に対して左右両側から均一に電圧を供給することができる。また、第２端子３２は配線基板３の上面に広い面積で形成されているため、対向電極２１へ電圧を供給する際の抵抗を小さくすることができる。このため、電圧降下による表示不良を防止することができ、表示品質に優れた電気光学装置が提供できる。
【００４４】
［第２の実施の形態］
図８は、配線基板の第２実施形態の概略構成図である。第１実施形態では、配線基板３の第２端子３２は、端子部３１Ａを挟んで左右両側に１つずつ設けられているが、本実施形態では、第２端子３２は、端子部３１Ａを構成する複数の端子３１を跨るようにＸ軸方向にストライプ状に設けられている。この構成によれば、第２端子３２が端子部３１Ａを跨って広い面積で形成されているため、対向電極２１へ電圧を供給する際の抵抗を小さくすることができる。このため、電圧降下による表示不良を防止することができ、表示品質に優れた電気光学装置が提供できる。
【００４５】
［電子機器］
図９は、本発明の電子機器の一実施形態である腕時計１５００の正面図である。腕時計１５００は、時計ケース１５０５と、該時計ケース１５０５に連結された一対のバンド１５０９とを備えている。時計ケース１５０５は、ステンレス等の金属材又はプラスチック樹脂等の樹脂材で形成されており、その内部の収容部には表示パネル１５０１が収容されている。時計ケース１５０５には、操作子としての竜頭１５０８と操作ボタン１５０６，１５０７とが設けられている。時計ケース１５０５の内部には、秒針１５０４、分針１５０３及び時針１５０２からなるアナログ指針が連結された運針機構（図示略）が設けられており、この運針機構が前記アナログ指針１５０２〜１５０４を回転駆動することにより、設定された時刻を表示するようになっている。
【００４６】
表示パネル１５０１は、腕時計１５００の表示部を構成するものである。表示パネル１５０１は、図１に示した電気光学装置１によって形成されている。図１では、アナログ指針用として複数の貫通孔Ｈが設けられているが、図９では、中央部の貫通孔Ｈのみが代表的に示されている。貫通孔Ｈからは、前記運針機構の秒車、２番車及び筒車の各軸が突出しており、この軸の先端部に、秒針１５０４、分針１５０３及び時針１５０２が取り付けられている。表示パネル１５０１は、本発明の電気光学装置の特徴を備えているため、小型で表示品質に優れた表示パネルとなっている。
【００４７】
なお、本発明の電気光学装置は、前述した腕時計に限らず、種々の電子機器に搭載することができる。この電子機器としては例えば、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等があり、前記電気光学装置はこれらの表示手段として好適に用いることができる。
【図面の簡単な説明】
【００４８】
【図１】第１実施形態の電気光学装置の概略構成図である。
【図２】同電気光学装置の平面図である。
【図３】同電気光学装置の端子部近傍の拡大断面図である。
【図４】同電気光学装置の製造方法の説明図である。
【図５】同電気光学装置の製造方法の説明図である。
【図６】同電気光学装置の製造方法の説明図である。
【図７】同電気光学装置の製造方法の説明図である。
【図８】第２実施形態の配線基板の概略構成図である。
【図９】電子機器の一実施形態である腕時計の概略構成図である。
【図１０】従来の電気光学装置の平面図である。
【図１１】同電気光学装置の導通材の配置領域の拡大断面図である。
【符号の説明】
【００４９】
１…電気光学装置、２…電気光学パネル、３…配線基板、１０…第１基板、１９…外部端子（第１導電部）、２０…第２基板、２１…対向電極（第２導電部）、３１…第１端子、３２…第２端子、３３…第１配線、３４…第２配線、３５…第１導通材、３６…第２導通材、３９…貫通孔、４５…封止材、５０…電気光学層（電気光学物質を含む層）、５１，５２…電気泳動粒子、５３…分散媒、１５００…腕時計（電子機器）
【図１】
2008216863.tif 000003
【図２】
2008216863.tif 000004
【図３】
2008216863.tif 000005
【図４】
2008216863.tif 000006
【図５】
2008216863.tif 000007
【図６】
2008216863.tif 000008
【図７】
2008216863.tif 000009
【図８】
2008216863.tif 000010
【図９】
2008216863.tif 000011
【図１０】
2008216863.tif 000012
【図１１】
2008216863.tif 000013